【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
患者の皮膚の容積を治療する装置において、
放射線源と、
該源からの放射線が印加される光学系であって、放射線を容積内の少なくとも１つの深さに及び容積の選んだ領域に集中させ、容積の非治療部分内に配置された容積内の三次元的治療部分を照射し、照射された治療部分が、非治療部分により分離され、また、容積の約１０％ないし約５０％の割合部分を備える、装置。
【請求項２】
請求項１に記載の装置において、
光学系が、放射線を容積上に集中させ、照射された治療部分が、容積の約１０％ないし約３０％の割合部分を備える、装置。
【請求項３】
請求項１又は２に記載の装置において、
光学系が、放射線を容積内に集中させ、照射された治療部分が、選んだ寸法及び厚さの円筒体、球状体、楕円体、中実な矩形体又は平面の形状とされる、装置。
【請求項４】
請求項１又は２に記載の装置において、
光学系が、放射線を容積内に集中させ、照射された部分が、容積の非治療部分により分離された選んだ長さ及び厚さの２つ又はより多数の線の形状とされる、装置。
【請求項５】
請求項１又は２に記載の装置において、
光学系が、列状の光学要素を備え、
該光学要素の少なくとも複数のものが、前記源から受け取った放射線を容積内の複数の治療部分上に集中させる、装置。
【請求項６】
請求項５に記載の装置において、
光学系が、源からの放射線を同時に、光学要素の少なくとも複数のものに印加する、装置。
【請求項７】
請求項５に記載の装置において、
光学要素の各々が、源から受け取った放射線を選んだ長さ及び厚さの線に収束させ、
要素の幾つかの線が、その他の要素のための線に対して選んだ角度にある、装置。
【請求項８】
請求項５に記載の装置において、
光学系が、Ｎ＞１である、治療部分のＮに対し放射線を同時に連続的に収束させ得るように光学要素に印加された放射線を走査する装置を更に備える、装置。
【請求項９】
請求項１又は２に記載の装置において、
光学系が、少なくとも１つの可調節の収束構成要素と、収束構成要素を動かして放射線を連続的な治療部分に収束させ得るように収束構成要素に結合された位置決め機構とを更に備える、装置。
【請求項１０】
請求項１又は２に記載の装置において、
患者の皮膚表面の一部分を選んだ温度まで冷却する機構と、放射線を印加する前又は放射線を印加する間、患者の皮膚を選んだ時間、予め冷却する機構を選択的に作動させる制御装置とを更に備える、装置。
【請求項１１】
請求項１０に記載の装置において、
機構及び制御装置が、皮膚表面から皮膚の下方の深さまで伸びる患者の皮膚の一部分を通常の体温以下の温度まで予め冷却する、装置。
【請求項１２】
請求項１０に記載の装置において、
機構及び制御装置が、皮膚表面から皮膚の下方の深さまで伸びる患者の皮膚を冷却し得るようにある温度及びある時間、皮膚を冷却し、これにより治療部分の各々が冷却した皮膚により実質的に取り巻かれる、装置。
【請求項１３】
請求項１又は２に記載の装置において、
放射線源が、約８００ｎｍないし約１８５０ｎｍの範囲又は約２１００ｎｍないし２３００ｎｍの範囲の任意のものに１つ又はより多数の波長を有する放射線を発生させる、装置。
【請求項１４】
請求項１又は２に記載の装置において、
放射線源が、約８００ｎｍないし約１８５０ｎｍの範囲又は約２１５０ｎｍないし２３００ｎｍの範囲の任意のものに１つ又はより多数の波長を有する放射線を発生させる、装置。
【請求項１５】
請求項１又は２に記載の装置において、
放射線源が、約９００ｎｍないし約１３００ｎｍの範囲又は約１５５０ｎｍないし約１８２０の範囲又は約２１５０ないし２２５０ｎｍの範囲の任意のものに１つ又はより多数の波長を有する放射線を発生させる、装置。
【請求項１６】
請求項１又は２に記載の装置において、
放射線源が、約９００ｎｍないし約１２５０ｎｍの範囲又は約１６５０ないし１７５０ｎｍの範囲の任意のものに１つ又はより多数の波長を有する放射線を発生させる、装置。
【請求項１７】
請求項１又は２に記載の装置において、
放射線源が、約９００ｎｍないし１２３０ｎｍの範囲に１つ又はより多数の波長を有する放射線を発生させる、装置。
【請求項１８】
請求項１又は２に記載の装置において、
放射線源が、約１０５０ないし１２２０ｎｍの範囲に１つ又はより多数の波長を有する放射線を発生させる、装置。
【請求項１９】
請求項１又は２に記載の装置において、
光学系が、深さ座標に配置された治療部分内のエネルギの集中を最大にし得るように、少なくとも深さ座標の下方の皮膚の深さまで放射線を収束させる、装置。
【請求項２０】
請求項１から８の何れかの１つに記載の装置において、
容積及び該容積の上方の患者の皮膚の一部分の少なくとも一方における少なくとも１つの選んだ状態を検出する検出器を更に備え、
光学系が、該検出器に応答して作動し、放射線が集中される容積の治療部分を制御する、装置。
【請求項２１】
請求項２０に記載の装置において、
検出器の出力を受け取り且つ、該出力に応答して源のパワー輪郭外形（ｐｒｏｆｉｌｅ）を制御する制御装置を更に備える、装置。
【請求項２２】
請求項２１に記載の装置において、
制御装置が、検出器の出力に応答して光学系の焦点深さを制御する、装置。
【請求項２３】
請求項２０に記載の装置において、
制御装置が、放射線が任意の所定の時間にて集中される１つ又はより多数の治療部分を決定し得るように検出器の出力に応答して走査装置を制御する、装置。
【請求項２４】
患者の皮膚の容積を治療する装置において、
放射線源と、
源から放射線を受け取り且つ、該放射線を患者の皮膚の容積内における面積及び深さ座標にて選んだ治療部分に向ける光学系とを備え、
該光学系が、放射線を治療部分に順次に向けて、照射された治療部分が、容積内の皮膚の非治療部分により、互いに分離されるようにした、装置。
【請求項２５】
請求項２４の装置において、制御装置と連通しており、患者の皮膚の容積の標的部分の位置を表示する出力を発生する検出器を更に備え、
該制御装置により、光学系が放射線を検出器の出力に応答して標的部分に収束させる、装置。
【請求項２６】
請求項２５の装置において、
検出器がＣＣＤ撮像装置を備える、装置。
【請求項２７】
請求項２５の装置において、
検出器が、毛胞、皺又は脈管の病変部の位置を探知し得るようにされる、装置。
【請求項２８】
請求項２４から２７の何れか１つの装置において、
マイクロレンズ系を更に備える、装置。
【請求項２９】
請求項２４から２７の何れか１つの装置において、
列状のフレネルレンズを更に備える、装置。
【請求項３０】
請求項２４から２７の何れか１つの装置において、
１つ又はより多数の勾配レンズを更に備える、装置。
【請求項３１】
請求項２４から２７の何れか１つの装置において、
光学系の収束要素が列状の筒形レンズを備える、装置。
【請求項３２】
請求項２４から２７の何れか１つの装置において、
２列の筒形レンズを更に備え、
一方の列におけるレンズが他方の列におけるレンズに対して直交状態に配置される、装置。
【請求項３３】
請求項２４の装置において、
光学系が、放射線走査要素と、少なくとも１つの収束要素とを備え、
走査要素が、源からの放射線を収束要素に向けて患者の皮膚の容積の選んだ部分に向ける、装置。
【請求項３４】
請求項３３の装置において、
放射線走査要素が、走査レンズ及び走査ミラーの任意のものを備える、装置。
【請求項３５】
請求項３３の装置において、
放射線源が、放射線を走査ミラーに向ける光ファイバを備える、装置。
【請求項３６】
患者の皮膚の容積を治療処理する装置において、
印加された放射線を集中させて複数の選んだ三次元的治療部分を提供する多焦点光学系を備え、
治療部分が、治療を必要とする皮膚の容積の非治療部分内に配置される、装置。
【請求項３７】
請求項３６の装置において、
印加された放射線を治療部分に順次に向けるべく光学系を作動させる制御装置を更に備える、装置。
【請求項３８】
皮膚の容積を治療する装置において、
放射線源と、
容積の少なくとも一部分に亙って患者の皮膚を選んだ温度まで冷却する機構と、
放射線を印加する前、又は放射線を印加する間、皮膚の部分をある温度まで且つ、皮膚の部分を通常の体温以下の温度まで冷却するのに十分な時間、予め冷却するよう前記機構を選択的に作動させる制御装置と、
源からの放射線を容積内のある深さ及び容積内の選んだ領域に集中させて治療部分を画成する光学系とを備え、治療部分が、容積の非治療部分により取り巻かれる、皮膚の容積を治療する装置。
【請求項３９】
請求項３８の装置において、
光学系が、放射線を治療部分に順次に向ける光学制御装置を更に備える、装置。
【請求項４０】
請求項３８の装置において、
光学系が、多焦点を提供し得るようにされる、装置。